(57)【要約】  本発明は熱装置の指令に関し、より具体的にはそのような装置用の制御ボックスの指令に関するものであり、制御ボックスは、エネルギーおよび運転マネージャとの通信インターフェースを備え、通信インターフェースは、マネージャから集中型運転の設定を受信するためのものであり、集中型運転の設定は、その装置について、その装置が前述の設定を適用する集中型運転モードを定める。  制御ボックスは、局所的運転の選好を入力するためのインターフェースをさらに備え、通信インターフェース(COM)は、装置に関連した集中型運転の設定を、運転の選好に基づいて変更するために、マネージャに運転の選好を通信するように構成されている。
2017520747.tif 000002
【特許請求の範囲】
【請求項１】
エネルギーおよび運転マネージャ(GE)との通信インターフェース(COM)を備える、熱装置用の指令ボックス(BC)であって、前記通信インターフェースが、前記マネージャから集中型運転の設定を受信するためのものであり、前記集中型運転の設定は、前記装置について、前記装置が前記設定を適用する集中型運転モードを定める、指令ボックスにおいて、
前記指令ボックスが、局所的運転の選好を入力するためのインターフェースを備え、前記通信インターフェースが、前記装置に関連した前記集中型運転の設定を前記運転の選好に基づいて変更するために、前記マネージャ(GE)に前記運転の選好を通信するように構成されていることを特徴とする指令ボックス。
【請求項２】
前記選好が、少なくとも前記装置の基準運転温度の指定を含み、前記基準温度が、前記基準温度に基づいて主要な運転設定を変更するために前記マネージャ(GE)に送信されることを特徴とする請求項1に記載の指令ボックス。
【請求項３】
前記インターフェースが、前記装置を、前記集中型運転モードから、前記装置が局所的運転の設定を適用する局所的運転モードへ切り換えるための指令要素(MAN)を備え、前記局所的運転の設定が、前記入力インターフェースを用いて選択され得ることを特徴とする請求項1または2に記載の指令ボックス。
【請求項４】
集中型運転の同種のサブモードに対応するいくつかの局所的運転サブモードの中から局所的運転モードの選択を、メニューを介して提案するように構成されていることを特徴とする請求項3に記載の指令ボックス。
【請求項５】
前記運転サブモードが、少なくともそれぞれの基準温度によって定められることを特徴とする、請求項2と組み合わせて使用される請求項4に記載の指令ボックス。
【請求項６】
前記指令ボックスが、遅延時間の長さまたは前記装置に送信される前記集中型運転の設定の変更を含む、局所的運転モードの終了条件の選択要素を備え、前記条件の確定に応答して、前記局所的運転モードから前記集中型運転モードへ前記装置の切換えを指令するように構成されていることを特徴とする請求項3から5のいずれか一項に記載の指令ボックス。
【請求項７】
前記集中型運転の設定および前記局所的運転の設定をデフォルト値に再初期化する指令のための要素(SEC)を備えることを特徴とする請求項1から6のいずれか一項に記載の指令ボックス。
【請求項８】
前記ユーザが事前設定された期間にわたって前記装置の近くにいないことを検知すると、局所的運転モードから集中型運転モードへの前記装置の切換えを起動するように構成されていることを特徴とする請求項1から7のいずれか一項に記載の指令ボックス。
【請求項９】
負荷制限または料金削減設定を受信すると、前記装置を、前記局所的運転モードから、前記マネージャによって駆動される運転モードへと切り換えるように構成されていることを特徴とする請求項1から8のいずれか一項に記載の指令ボックス。
【請求項１０】
請求項1から9のいずれか一項に記載の制御ボックスと、
-  集中型運転の設定を記憶して前記指令ボックス(BC)に送信し、
-  前記指令ボックス(BC)から運転の選好を受信して、運転の選好に基づいて前記集中型運転の設定を変更するのに適したエネルギーおよび運転マネージャと、
を備えるシステム。
【請求項１１】
熱装置用の指令方法であって、
-  エネルギーおよび運転マネージャからの集中型運転の設定が、前記装置上に配置された指令ボックスによって受信され、前記設定は、前記装置が前記設定を適用する前記装置の集中型運転モードを定め、
-  運転の選好が入力され、前記運転の選好が、前記指令ボックスを介して前記マネージャに通信され、
-  前記装置に関連した前記集中型運転の設定が、運転の選好に依拠して変更される、指令方法。
【請求項１２】
プロセッサによって実行されると請求項11に記載の方法を実行するための命令を含むことを特徴とするコンピュータプログラム。
【発明の詳細な説明】
【技術分野】
【０００１】
本発明は、特に(家庭用または業務用の)設備における、エネルギーの回収/温水の生成を伴う、加熱装置、換気装置、空調装置などの熱装置の指令の分野に関するものである。
【背景技術】
【０００２】
これらの装置は、通常、ユーザの全般的な好み(たとえば住宅の至る所での目標温度)に応じて運転の設定をそれぞれの装置に送信するエネルギーおよび運転マネージャに接続されている。それにもかかわらず、この全般的な目標温度は、たとえば、特にその断熱手段を考慮に入れると、必ずしも1つの所与の部屋に適した温度に合致するものではない。
【発明の概要】
【発明が解決しようとする課題】
【０００３】
本発明は、この状況を改善することを目的とするものである。
【課題を解決するための手段】
【０００４】
この目的のために本発明は、熱装置用の制御ボックスを提案し、この制御ボックスは、エネルギーおよび運転マネージャとの通信インターフェースを備え、通信インターフェースは、上記マネージャから集中型運転の設定を受信するためのものであり、集中型運転の設定は、当該装置について、その装置がその設定を適用する集中型運転モードを定める。
【０００５】
具体的には、制御ボックスは、局所的運転の選好を入力するためのインターフェースをさらに備え、通信インターフェースは、熱装置に関連した集中型運転の設定を、運転の選好に基づいて変更するために、エネルギーおよび運転マネージャに運転の選好を通信するように構成されている。
【０００６】
そして、本発明は、たとえば熱装置が作動する部屋にユーザがいるときに、ユーザに特有の局所的な選好を定めること、具体的には、たとえば部屋における装置の運転に特有の基準温度を定めることを可能にし、この基準温度は、エネルギーおよび運転マネージャへと通信されて、マネージャに記憶される。
【０００７】
そのように、一実施形態では、前述の選好は、少なくとも装置の基準運転温度の指定を含み、次いで、この基準温度に基づいて主要な運転設定を変更するために、この基準温度がエネルギーおよび運転マネージャに送信される。
【０００８】
本発明により、装置が、前述マネージャの介在なしで、局所的なモードに従って作動することも可能になる。
【０００９】
そのように、一実施形態では、入力インターフェースは、装置を集中型運転モードから、装置が局所的運転の設定を適用する局所的運転モードへ切り換えるための指令要素を含み、これらの局所的運転の設定は、入力インターフェースを用いて選択できる。
【００１０】
具体的には、局所的運転モードおよび集中型運転モードは、「運転サブモード」(後に「快適モード」、「省エネモード」、および「凍結防止モード」と称される)を含むことができ、これらは、無論温度が異なるばかりでなく、湿度、風速、ノイズレベル、または熱装置に可能な他の設定パラメータも異なり得る。
【００１１】
そのように、特定の実装形態では、指令ボックスは、集中制御の同種のサブモードに対応するいくつかの局所的運転サブモードの中から局所的運転モードの選択をメニューを介して提案するように構成されている。
【００１２】
具体的には、この選択によって、ユーザに、局所的運転モードの初期化中に運転の選好の領域における選択の機会を提供することができる。
【００１３】
特定の実装形態では、運転サブモードは、少なくともそれぞれの基準温度によって定められる。
【００１４】
具体的には、たとえば比較的高い温度(約19℃)を「快適モード」に関連づけ、それよりも(たとえば3.5℃低い)低い温度を「省エネモード」に関連づけ、7℃の基準温度をたとえば凍結防止モードに関連づけるなど、別々の基準温度を別々の運転サブモード(局所的モードまたは集中型モード時)に関連づけることができる。
【００１５】
一実施形態では、指令ボックスは、遅延時間の長さまたは装置に送信される集中型運転の設定の変更を含む、局所的運転モード状態の終了に関する選択要素を備え、指令ボックスは、この条件の確定に応答して、局所的運転モードから集中型運転モードへ装置の切換えを指令するように構成されている。
【００１６】
そのように、ユーザは、装置を局所的運転モードから集中型運転モードに切り換えるための条件を前もってプログラムしておくことができる。これは、たとえば、遅延時間の後、または1日のうちのある時刻(たとえば真夜中)に達した後に、運転を集中型モードに切り換えることを伴い得る。たとえば、負荷制限(すなわち限界を超えてエネルギーを消費しないための「ブランキング」)のプログラムされたスケジュールに従うことによりエネルギーおよび運転マネージャの設定を変更することで、局所的モードから集中型モードへの切換えを行うことも可能であり、サブモードの、たとえば「快適モード」から「省エネモード」への可能な変更を伴う。したがって、そのような実装形態により、熱装置のエネルギー消費が制限され得る。
【００１７】
また、特定の実施形態では、指令ボックスは、負荷制限または料金削減設定を受信すると、装置を、局所的運転モードから、前記マネージャによって駆動される運転モードへと切り換えるように構成されている。
【００１８】
一実施形態では、指令ボックスは、集中型運転の設定および局所的運転の設定をデフォルト値に再初期化する指令のための要素を備える。
【００１９】
したがって、この実装形態により、ユーザは、たとえば意図しない運転が繰り返される場合には、デフォルトの操作値に戻すために、装置の運転の選好に対する変更を簡単に補正することができる。
【００２０】
特定の実装形態では、指令ボックスは、事前設定された期間にわたってユーザが装置の近くにいないことを検知すると、局所的運転モードから集中型運転モードへの装置の切換えを起動するように構成されている。
【００２１】
この実装形態により、一般的なやり方において、ユーザは、装置にアクセスできなくても、装置が局所的運転モードでないときに、装置の制御を遠隔から回復することができる。特定の例では、そのような実装形態により、局所的な「快適」運転モードから集中型の「省エネ」運転モードへ移ることが特に可能になる。そのように、たとえば、装置が快適モードではあるが、事前設定の時間にわたって装置のまわりにユーザが検知されないとき、マネージャは、装置を、省エネモードに(または事前記録された選好に従って凍結防止モードに)、遠隔から切り換えることができる。
【００２２】
あるいは、指令ボックスが、ユーザの不在が検知されたとき、集中制御における「快適」モードから集中制御における「省エネ」モードへの装置の切換えを起動するように構成される実施形態が考えられる。あるいは、装置の近くにユーザがいるいくつかの状況が検知されると「快適」運転モードを駆動することも可能であり、これは、装置利用のエルゴノミクスを改善するのに役立つ。
【００２３】
本発明の指令ボックスがエネルギーおよび運転マネージャと結合した場合、本発明は、上記で定めたような指令ボックスと、エネルギーおよび運転マネージャとを備えるシステムも対象とし、エネルギーおよび運転マネージャは特に、
-  集中型運転の設定を記憶して前記指令ボックスに送信し、
-  指令ボックスから運転の選好を受信して、運転の選好に基づいて集中型運転の設定を変更することができる。
【００２４】
加えて、本発明は、(一般的には本発明の意味における指令ボックス上で実行される)熱装置向けの指令方法を対象とするものであり、
-  エネルギーおよび運転マネージャからの集中型運転の設定が、前記装置上に配置された指令ボックスによって受信され、設定は、装置がその設定を適用する装置の集中型運転モードを定め、
-  運転の選好が入力され、前記運転の選好が、指令ボックスを介して前記マネージャに通信され、
-  前記装置に関連した集中型運転の設定が、運転の選好に依拠して変更される。
【００２５】
最後に、本発明は、プロセッサによって実行されると前述の方法を実施するための命令を含むコンピュータプログラム(および、無論これらの命令が記憶されているメモリ)を対象とするものである。図4は、そのようなプログラムに関する可能な流れ図を示すものである。
【００２６】
本発明の他の特徴および利点が、以下の詳細な説明および添付図を考察することによって明らかになるはずである。
【図面の簡単な説明】
【００２７】
【図１】本発明の適用状況における例示的な設備を示す図である。
【図２】図1による設備の一般的な指令に関する例示的な制御画面を示す図である。
【図３】本発明の意味の一実施形態における熱装置上の例示的入力インターフェースを示す図である。
【図４】本発明の意味における方法例のステップを示す図である。
【発明を実施するための形態】
【００２８】
図1を参照すると、本発明の意味における方法の実装形態に関する設備が示されている。この設備は複数の熱装置を備える。この設備は、熱回収または清潔な温水の生成さえ伴う、加熱ユニット、換気ユニット、または空気調整ユニットを伴うことができる。「熱装置」は、流体の温度を上げたり下げたりすることができる何らかの熱交換器設備として一般に理解される。
【００２９】
そのように、図1における一例として、加熱ラジエータR1およびR2が、たとえば窓FE(fenetre)を備える1つの部屋に配置されている。たとえば、別の部屋に別のラジエータR3が配置されている。この設備は、空気調節器AC、温水タンクECS(eau chaude sanitaire)などをさらに備えることができる。
【００３０】
これらの装置は、エネルギーおよび運転マネージャGE(le gestionnaire d’energie et de pilotage)に接続されており、
-  エネルギーおよび運転マネージャGEにおいて事前にプログラムされた一連のモードに従って運転の設定を受信し、
-  装置によって捕捉された情報またはユーザによって入力された情報を、エネルギーおよび運転マネージャGEに戻す。
【００３１】
装置とエネルギーおよび運転マネージャGEとの間の接続は、無線周波(ジグザグ線の矢印w)または有線(直線の矢印f)であり得る。
【００３２】
次いで、設備のユーザは、設備の装置向けに選択された一連の運転モードを(たとえば、より優れたエルゴノミクスのためにエネルギーおよび運転マネージャGEに接続された、図2に示されるような端末TERのインターフェースを介して)入力することができる。
【００３３】
たとえば、ユーザは、1日にわたる自身の空間の各部屋における日ごとの所望温度を入力することができる。たとえば、ユーザは、
-  浴室では、早朝(図2における列P3の上部)および日没時(列P3の下部)に高温(たとえば22°)になり、
-  寝室では、日暮れ(列P2の下部)から早朝(列P2の上部)まで快適温度(たとえば19°)になり、
-  食堂(列P1)では、朝(たとえば学校および/または職場に行く前に家族がいることに相当する)および日没時(たとえば家族の1人目が帰ってくる時間)に快適温度(19°)になるようにプログラムすることができる。
【００３４】
これらの時間の範囲外では、省エネルギーの方策として、温度をより低く(たとえば前述の快適温度よりも3.5°低く)することができる。今後、この運転モードを「省エネモード」と呼ぶ。無論、長期にわたる不在の間は、さらに低い温度(たとえば「凍結防止」モードの7℃)にすることができる。
【００３５】
加えて、ユーザは、まる1週間にわたる日単位または週単位の選好を(週末には異なる全般的な選好とする可能性を伴って)プログラムすることができる。ユーザは、自分の端末に、さらに長い時間スケールにわたって、事前設定の日付(たとえば長期にわたる不在の間、さらにはユーザがエネルギー供給業者に対して消費を定量に制限することに同意する「ブランキング」(図2における参照EFF(d’effacement))と呼ばれる期間)に生じるはずの特定のイベントに関する情報を入力することができる。
【００３６】
次いで、エネルギーおよび運転マネージャGEは、それぞれの時間範囲に対応する、装置向けにプログラムされた一連の運転モードを記憶する。
【００３７】
これらのパラメータが入力されると、エネルギーおよび運転マネージャGEは、ユーザによるプログラミングに対応する運転モードに関する設定を装置に伝送する。次いで、ユーザは、自分の端末TERにおいて、それぞれの部屋向けの基準快適レベル(たとえば温度、および場合により湿度、風速、ノイズレベル)を読み取り、次いで、たとえば自分の活動、衣類、ならびに占有および空室の期間にも応じてこの快適レベルを調節することができる。
【００３８】
それに対して、エネルギーおよび運転マネージャGEは、装置から特定のイベントについての情報を得ることもできる。
【００３９】
これらの特定のイベントは、装置の指令ボックス上のユーザの入力および/またはセンサ(たとえば装置上の存在センサCP(un capteur de presence))による検知に対応し得る。
【００４０】
そのような指令ボックスBCが図3に示されている。
【００４１】
示された例では、指令ボックスBCは、
-  装置を運転/停止するためのボタンARと、
-  たとえば加熱ラジエータの運転温度を上げるボタンB1および下げるボタンB2と、
-  エネルギーおよび運転マネージャGEによって管理される自動運転の指令SEC(この指令ボタンは、後に説明する他の機能も担うことができる)と、
-  装置のユーザが運転を直接管理するための指令MANであって、これによりユーザがそのように装置の運転を直接制御でき、特にエネルギーおよび運転マネージャGEによって駆動される自動運転を回避することができる指令MANとを備える。
【００４２】
無論、指令ボックスは、特に装置に与えられる温度設定のための表示画面AFF(d’affichage)を付加的に備えることができる。装置自体が、現在の温度を測定するため、および場合によっては設定温度に到達するためのサーモスタットTHRをさらに備えることができ、また圧力センサCPも備えることができる。指令ボックスBCおよびセンサ(特にCPおよびTHR)は、装置の指令モジュールMCに接続されている。このモジュールMCが備えるプロセッサPROCおよび作業メモリMEMは、ボックスBCならびにセンサCPおよびTHRから来るデータを検索し、解釈し、場合により記憶するためのものである。メモリMEMは、MANボタンを押した後に、エネルギーおよび運転マネージャGEから独立した装置のスタンドアロン運転を可能にするように、さらにプログラムされ得る。モジュールMCは、特に装置から来る情報を送信するためにエネルギーおよび運転マネージャGEと(無線または有線で)通信するためのインターフェースをさらに備えることができる。
【００４３】
本発明の意味の制限内で、関連する装置から来る可能性がある情報の1つの種類には、ユーザによって個人的に設定された快適温度がある。例示的な実装形態では、ユーザは、ボタンB1およびB2を使用して装置の運転温度を設定することができる。次にユーザがこの設定を運転モード(たとえば「快適」モード)に関連づけることによって記憶することを望む場合、ユーザはSECボタンを長押しする(たとえば3秒間)。次いで、そのように入力された温度が装置(示された例ではメモリMEM)に記憶され、エネルギーおよび運転マネージャGEにも送信されてマネージャに記憶される。この温度は、快適モードに関する基準温度になり、次いで、その後行われる設定については、その装置の快適モードに関連づけられる温度に相当することになる。この温度はさらに、たとえば端末TERからエネルギーおよび運転マネージャGEを介して遠隔から温度を設定するための基準の役目を果たすことになる。
【００４４】
この基準温度は、たとえば部屋のドアを(無論窓も)閉じた状態で、ユーザによって設定される。すると今度は、装置が配置されている部屋における装置の実際の使用条件下でユーザによって実際に装置に望まれる温度が問題となる。したがって、本発明は、ユーザが所与のモードに関して所与の部屋における快い温度を現場で最適化することができるという事実を利用する。
【００４５】
したがって、ユーザが図3のMANボタンを押すことによって装置を直接管理するとき、装置の指令モジュールMCは、装置のユーザによってその場で直接選択されたモードによる運転に適切である。次いで、装置の運転は、後に図4を参照して示される条件下を除けば、エネルギーおよび運転マネージャGEから独立したものになる。
【００４６】
一般に、ECOボタンを押すだけで、装置の運転モードのプログラムされた順序に従って(たとえばその週の間は日中は省エネモードにし、夜間は快適モードにするなど)装置を運転することが可能になる。このプログラムは、エネルギーおよび運転マネージャGEに記憶されている(また、ユーザによってユーザの端末を介して入力され得る)。
【００４７】
他方では、MANボタンを押すと、プログラムに従った運転をバイパスして、モードの連続に移る。したがって、たとえば、現在の一時間ごとの範囲が事前にプログラムされたユーザの不在に相当し、したがって省エネモードであるときに、実際にいるユーザがMANボタンを押すことによって快適モードに切り換えることができる。ユーザは、再びMANボタンを押すことによって、たとえば凍結防止モードといった特定のモードを選択することができる。この実装形態は、その後エネルギーおよび運転マネージャGEが関与することなく、装置を維持できるように管理するのに役立つ。たとえば、MANボタンを押すと、モード選択メニュー(たとえば快適、省エネ、凍結防止)にアクセスすることができる。有利な実装形態では、メニューは、最初に、現在のモード以外の運転モード(たとえば現在のモードが快適モードであれば省エネモード)を提案する。
【００４８】
次に、図4を参照しながら、本発明の意味の方法における一連のステップの一例を説明する。ステップS1の結果、ユーザの全般的な選好が(たとえばユーザの端末TERを介して)入力され、エネルギーおよび運転マネージャ(GE)に記憶されている。そのように、所与の装置は、ステップS2において、エネルギーおよび運転マネージャGEから、基準快適温度と比較した所望のオフセットに関する設定を受信することにより、またはエネルギーおよび運転マネージャGEからの所望の温度設定もしくは事前にプログラムされた運転モード(たとえば快適モード、省エネモード、または凍結防止モード)に従って、運転することができる。ステップS3において、装置のユーザは、装置の指令モジュールCOMから、部屋の中で望む温度を調節する。調節が行われると、ユーザは、この温度を記憶することを望む場合には、次いでステップS4において装置のECOボタンを長押しする(約3秒間)。すると、この温度がユーザの基準快適温度になる。この情報は、エネルギーおよび運転マネージャGEに送信されて記憶され、たとえば基準快適レベルの表示器として機能する端末に表示される。そうでなければ(ステップS4から出るKOの矢印)、現在のモードによるその後の装置の運転中に、装置は、ステップS2の後、調節前に記憶された温度またはエネルギーおよび運転マネージャのGEによって自動的に定められた温度に相当する温度を目標とすることになる。ユーザがECOボタンを(3秒間)長押しすると(ステップS4から出るOKの矢印)、ステップS5において新規の温度値が装置に記憶される。
【００４９】
他の特定のイベントが、エネルギーおよび運転マネージャGEに通信され得る。たとえばユーザが装置上で直接同じECOボタンをより長い時間(たとえば8秒)押すと、装置の生産の最後にあらかじめ較正された快適温度(たとえば19℃)、省エネルギーモード温度(たとえば15.5℃)、および凍結防止温度(たとえば7℃)が回復される。
【００５０】
加えて、たとえばラジエータが備え得る存在センサCPは、規定通りに、部屋の中のユーザの存在または不在を示す。ここで、図4を参照すると、装置がユーザによって手動で(MANボタンを押して)要求された快適モードに従って運転しているとき、ステップS6において、不在が継続していることが(たとえば数十分の遅延時間の後に)検知されると、エネルギーおよび運転マネージャGEに制御が移ることがある。ステップS7において、このマネージャは、以前にプログラムされたモード(たとえば省エネモード、または検知された不在が第2の事前設定の遅延時間しきい値よりも長ければ凍結防止モード)を強いる。
【００５１】
加えて、たとえばラジエータのサーモスタットによって、部屋の窓が開いていることが、その部屋における急激な温度降下の形で検知され得る。この場合、一実施例では、装置の停止操作が指示され得る。遅れの後、装置は、エネルギーおよび運転マネージャGEに接続して、あらかじめプログラムされた運転モードの設定を受信し、再びこの事前にプログラムされたモードに従って運転することができる。
【００５２】
そのように、一実施例では、ユーザがMANボタンを使用して望むモードを選択したとしても、または装置がエネルギーおよび運転マネージャGEによって事前にプログラムされたモード(ユーザが以前にSECボタンを押したモード)で運転されていたとしても、ステップS11において窓が開いていることが検知されると、ステップS12において装置が運転を停止する。たとえば遅延時間の後、装置は、次に、ステップS16においてエネルギーおよび運転マネージャGEに事前にプログラムされたモードに従って運転することができる。
【００５３】
加えて、ステップS9においてユーザによる装置の直接制御に関するメッセージを受信した後であっても、ステップS13において、エネルギーおよび運転マネージャGEが、エネルギー消費制限の設定(たとえばブランキング)に従うように以前にプログラムされているならば、ステップS14において、装置の直接制御は取り消され、装置のユーザの好みのモードに従って、運転のバイパスが終了される。エネルギーおよび運転マネージャGEは、ステップS16において装置を省エネモードによって運転することにより、または装置を停止することにより、あるいはユーザによってブランキング条件に応答して最初に指示されたプログラムに従って、ステップS14において再び装置を駆動する。
【００５４】
加えて、遅延時間の後に(たとえば固定されたスケジュールに基づいてたとえば真夜中に)、装置は、一実施例では、手動制御によって選択された運転モード(MANボタンを押すことによる手動モード)から、エネルギーおよび運転マネージャGEによって駆動される所定のモードに切り換わる。
【００５５】
無論、本発明は例としての前述の実施形態に限定されず、他の変形形態にも及ぶものである。
【００５６】
そのように、たとえば、図3において一例として示される入力インターフェースの表現は、このインターフェースのエルゴノミクスによって使用が非常に容易になるが、変更されてよい。たとえば、ユーザによって直接要求されたモードに従って、あらかじめ記録された一連のモードまたは運転を選択するメニューを開く単一のECO/MAN指令ボタンを設けることが可能である。
【符号の説明】
【００５７】
GE  エネルギーおよび運転マネージャ
TER  端末
R1  加熱ラジエータ
R2  加熱ラジエータ
R3  加熱ラジエータ
FE  窓
CP  存在センサ
AC  空気調節器
ECS  温水タンク
P1  列
P2  列
P3  列
EFF
BC  指令ボックス
MAN  ボタン
SEC  ボタン
AFF  温度設定のための表示画面
AR  装置の運転/停止のためのボタン
B1  運転温度を上げるボタン
B2  運転温度を下げるボタン
CP  センサ
THR  センサ
MC  指令モジュール
PROC  プロセッサ
MEM  作業メモリ
COM  指令モジュール
【図１】
2017520747.tif 000003
【図２】
2017520747.tif 000004
【図３】
2017520747.tif 000005
【図４】
2017520747.tif 000006
【国際調査報告】
2017520747.tif 000007
2017520747.tif 000008
2017520747.tif 000009
2017520747.tif 000010